(57)【要約】【課題】簡易な構成で水拭き掃除が可能な床面掃除具を提供することを目的とする。【解決手段】下面に吸引口３を形成したケース体２と、このケース体２の内部に軸支されるとともに外周面に吸引口３を通してゴミをかきあげる清掃片５を有した回転清掃体４と、回転清掃体４とともにケース体２の内部に設けられ回転清掃体４の回転時に接触する清掃片５に水分を供給する水分補給手段６とを備えたものである。これによって、回転清掃体４が回転すると、その外周面の清掃片５が水分補給手段６と接触し、清掃片５に水分が供給され、その後、床面１０に接して清掃を行うことになるため、簡易な構成で水拭き掃除ができ、床面にこびりついたゴミや汚れなども清掃できる。【選択図】図１
2008188313.tif 000002
【特許請求の範囲】
【請求項１】
下面に吸引口を形成したケース体と、このケース体の内部に軸支されるとともに外周面に吸引口を通してゴミをかきあげる清掃片を有した回転清掃体と、回転清掃体とともにケース体の内部に設けられ回転清掃体の回転時に接触する清掃片に水分を供給する水分補給手段とを備えた床面掃除具。
【請求項２】
水分補給手段は含水軟質体である請求項１に記載の床面掃除具。
【請求項３】
清掃片はブラシ体である請求項１または２に記載の床面掃除具。
【請求項４】
清掃片が水分を含んだ状態でゴミをかきあげた後のケース体の内部位置に、清掃片が接触する水分吸収手段を有した請求項１〜３のいずれか１項に記載の床面掃除具。
【請求項５】
水分吸収手段は乾燥軟質体である請求項４に記載の床面掃除具。
【請求項６】
水分補給手段の水分には抗菌剤が含まれている請求項１〜５のいずれか１項に記載の床面掃除具。
【請求項７】
抗菌剤には少なくとも銀が含まれている請求項６に記載の床面掃除具。
【請求項８】
請求項１〜７のいずれか１項に記載の床面掃除具を用いた電気掃除機。
【発明の詳細な説明】
【技術分野】
【０００１】
本発明は、床面にこびりついたゴミや汚れも除去できる床面掃除具とそれを用いた電気掃除機に関するものである。
【背景技術】
【０００２】
従来、一般家庭で使用されている電気掃除機は、ホース先端に、ケース体の内部に吸引口を通してゴミをかきあげる回転清掃体を有する床面吸い込み具を備えている。そして、床面吸い込み具の回転清掃体を回転させることにより床面のゴミをかきだし、ゴミを空気とともに吸引し清掃するものである。しかし、この電気掃除機においては、床面のゴミをかきだし吸引することは可能であるが、こびりついたゴミや汚れなどは清掃できないものであった。
【０００３】
そのため、近年では、回転清掃体の内部に水分を蓄え、回転清掃体に設けた小孔から回転による遠心力で水分を流出させて水拭き掃除が可能な電気掃除機も提案されている（例えば、特許文献１参照）。
【特許文献１】特開２００５−４６２３０号公報
【発明の開示】
【発明が解決しようとする課題】
【０００４】
しかしながら、前記従来の構成では、回転清掃体の内部に水分を蓄え、回転清掃体に設けた小孔から回転による遠心力で水分を流出させるため、機構面で構成困難なものであった。
【０００５】
本発明は、前記従来の課題を解決するもので、簡易な構成で水拭き掃除が可能な床面掃除具とそれを用いた電気掃除機を提供することを目的とする。
【課題を解決するための手段】
【０００６】
前記従来の課題を解決するために、本発明の床面掃除具は、下面に吸引口を形成したケース体と、このケース体の内部に軸支されるとともに外周面に吸引口を通してゴミをかきあげる清掃片を有した回転清掃体と、回転清掃体とともにケース体の内部に設けられ回転清掃体の回転時に接触する清掃片に水分を供給する水分補給手段とを備えたものである。
【０００７】
これによって、回転清掃体が回転すると、その外周面の清掃片が水分補給手段と接触し、清掃片に水分が供給され、その後、床面に接して清掃を行うことになるため、簡易な構成で水拭き掃除ができ、床面にこびりついたゴミや汚れなども清掃できる。
【０００８】
また、本発明の床面掃除具を用いた電気掃除機は、ゴミを空気とともに吸引して水拭き掃除ができるものである。
【発明の効果】
【０００９】
本発明の床面掃除具とそれを用いた電気掃除機は、簡易な構成で水拭き掃除が可能で、床面にこびりついたゴミや汚れなども清掃できるものとなる。
【発明を実施するための最良の形態】
【００１０】
第１の発明は、下面に吸引口を形成したケース体と、このケース体の内部に軸支されるとともに外周面に吸引口を通してゴミをかきあげる清掃片を有した回転清掃体と、回転清掃体とともにケース体の内部に設けられ回転清掃体の回転時に接触する清掃片に水分を供給する水分補給手段とを備えた床面掃除具とすることにより、回転清掃体が回転すると、その外周面の清掃片が水分補給手段と接触し、清掃片に水分が供給され、その後、床面に接して清掃を行うことになるため、簡易な構成で水拭き掃除ができ、床面にこびりついたゴミや汚れなども清掃できる。
【００１１】
第２の発明は、特に、第１の発明において、水分補給手段は含水軟質体であることにより、簡便な手段で、具体的に水分補給手段を実現できる。
【００１２】
第３の発明は、特に、第１または第２の発明において、清掃片はブラシ体であることにより、水分の保持性に優れ、ゴミのかきだしに加えて、フローリングなどの床面を水磨き掃除が可能なものとなる。
【００１３】
第４の発明は、特に、第１〜第３のいずれか１つの発明において、清掃片が水分を含んだ状態でゴミをかきあげた後のケース体の内部位置に、清掃片が接触する水分吸収手段を有したことにより、水分を供給した清掃片が床を水拭きして、汚れが清掃片の水分に移り清掃片が汚染されても、その後、水分吸収手段により清掃片に付いた汚れは水分とともに吸収される。このため、清掃片は次の水分供給時には常に清浄な状態を保ち、汚れを床面に広げることなく清掃できるものとなる。また、電気掃除機に用いた場合、水分を供給した清掃片から脱離した水が、掃除機本体内に吸引されるのを抑制する効果も合わせ持つこととなる。
【００１４】
第５の発明は、特に、第４の発明において、水分吸収手段は乾燥軟質体であることにより、簡便な手段で水分吸収手段を実現できる。
【００１５】
第６の発明は、特に、第１〜第５のいずれか１つの発明において、水分補給手段の水分には抗菌剤が含まれていることにより、掃除をするとともに床面を抗菌できるものとなる。
【００１６】
第７の発明は、特に、第６の発明において、抗菌剤には少なくとも銀が含まれていることにより、抗菌作用の優れたものとすることができる。
【００１７】
第８の発明は、特に、第１〜第７のいずれか１つの発明における床面掃除具を用いた電気掃除機とすることにより、ゴミを空気とともに吸引して水拭き掃除ができるものである。
【００１８】
以下、本発明の実施の形態について、図面を参照しながら説明する。なお、この実施の形態によって本発明が限定されるものではない。
【００１９】
（実施の形態１）
図１〜図３は、本発明の実施の形態１における床面掃除具を示している。
【００２０】
図１に示すように、床面掃除具１は、下面に吸引口３を形成したケース体２を筐体とし、ケース体２の内部には、吸引口３を通してゴミをかきあげる清掃片５を外周面に有した略円筒状の回転清掃体４が軸支され、図示していないモータなどにより矢印方向に回転駆動される。床面掃除具１は下面に回転体１ａを設けており、床面１０上をスムーズに移動できるようになっている。ここで、清掃片５は樹脂繊維からなるブラシ体であり、回転清掃体４の軸方向に螺旋状に４条、軸方向から見てそれぞれが直角方向を向くように配設されている。
【００２１】
回転清掃体４とともにケース体２の内部には、回転清掃体４の回転時に接触する清掃片５に水分を供給する水分補給手段６が設けられている。この水分補給手段６は、ケース体２の内部で吸引口３側から見て回転清掃体４の回転中心軸よりも回転方向後部、図１においてはケース体２の前部位置に配設されている。
【００２２】
ここで、水分補給手段６は吸引口３の長手方向に沿って配設された箱体であり、図２に示すように、箱体内部には水８を蓄えており、また箱体の回転清掃体４側には小孔９が開いており、図２（ａ）のように清掃片５が接触していない状態では、表面張力により水が流れ出ず、図２（ｂ）のように清掃片５が接触している状態では、水が流れ出て、清掃片５をぬらすように小孔９の大きさが設定されている。
【００２３】
上記した床面掃除具はそれ単独でも使用できるものであるが、ここでは電気掃除機に用いた場合の動作を説明する。
【００２４】
図示していないが、電気掃除機本体を作動させると、本体内部に配置したファンモータの働きにより吸引力が発生し、吸引口３から空気が吸引される。また、床面掃除具１が吸引口３を下面にして床面１０に置かれると、図示していないモータのスイッチが入り、回転清掃体４は回転する。回転清掃体４の外周に配設された清掃片５は回転清掃体４の回転により床面１０のゴミをかきあげ、空気とともに吸引口３から接続管１１を通り吸引除去される。
【００２５】
このとき、回転清掃体４の回転とともに清掃片５はそれぞれ水分補給手段６に接触と非接触を繰り返すが、前記のように清掃片５が接触していない状態では、表面張力により水が流れ出ず、清掃片５が接触している状態では、水が流れ出て清掃片５をぬらすように水分補給手段６の小孔９の大きさが設定されているため、清掃片５は床面１０に接触する前に常にぬれた状態となっている。
【００２６】
清掃片５は常にぬれた状態で床面１０に接触を繰り返し、床面１０にこびりついたゴミや汚れを水分により浮かび上がらせ除去するものとなる。ここでは特に清掃片５をブラシ体としているため、水分の保持性にも優れ床面１０の磨き効果もでることとなる。
【００２７】
次に、床面掃除具を用いた電気掃除機の清掃実験について説明する。
【００２８】
模擬床面としてＰＰの平板を用いた。ＰＰの平板上に醤油を１ｃｃたらし、へらで広げた後、自然乾燥させ、こびりつき汚れを作製した。
【００２９】
このこびりつき汚れを上記電気掃除機を用いて清掃した。電気掃除機は強モードとし、毎秒１ｍの速さで床面掃除具１を３往復させて清掃した。また、比較対照実験として水分補給手段６に水８を供給せず清掃片５を乾燥状態としても清掃を行った。評価尺度としては色彩色差計を用い、明るさの尺度であるＬ値の比率で浄化率を求めた。
【００３０】
結果は、本実施の形態の電気掃除機において浄化率９３％であったのに対して、比較対照実験では１７％であり、こびりつき汚れの清浄度合いに大きく違いがでるものであった。
【００３１】
このように、本実施の形態においては、回転清掃体が回転すると、まず回転清掃体外周面の清掃片が水分補給手段と接触し、清掃片に水分が供給され、その後床面に接して清掃を行うことになるため、簡易な構成で水拭き掃除ができ、床面にこびりついたゴミや汚れなども清掃できる。
【００３２】
なお、本実施の形態では、回転清掃体４をモータで駆動、回転させたが、モータを外し、床面掃除具１の前方に第二の吸引口を設け、第二の吸引口からの吸引風で回転清掃体４を回転させるタイプものや、別途タービンを設けてベルトなどで回転清掃体４を回転させるタイプのものでも同様の効果がでるものである。
【００３３】
また、本実施の形態では、回転清掃体４の回転方向として図１の矢印方向としたが、図３に示すように逆方向とする場合には、ケース体２の内部で吸引口３側から見て回転清掃体４の回転中心軸よりも回転方向後部、つまり図３においてはケース体２の後部に、水分補給手段６を配設すればよいものである。
【００３４】
（実施の形態２）
図４、図５は、本発明の実施の形態２における床面掃除具を示している。実施の形態１と同一要素については同一符号を付してその説明を省略する。
【００３５】
図４に示すように、本実施の形態では、清掃片５が水分を含んだ状態でゴミをかきあげた後のケース体２の内部位置に、清掃片５が接触する水分吸収手段７を有しているものである。つまり、水分吸収手段７は、ケース体２の内部で吸引口３側から見て回転清掃体４の回転中心軸よりも回転方向前部、図４においてケース体２の後部に配設している。水分吸収手段７は吸引口３の長手方向に沿って配設された軟質体であり、ここでは乾燥したスポンジを用いている。
【００３６】
このとき、実施の形態１と同様に回転清掃体４の回転とともに清掃片５はそれぞれ水分補給手段６に接触、非接触を繰り返すが、前記のように清掃片５が接触していない状態では、表面張力により水８が流れ出ず、清掃片５が接触している状態では水８が流れ出て、清掃片５をぬらすように小孔９の大きさが設定されているため、清掃片５は床面１０に接触する前に常にぬれた状態となっている。
【００３７】
清掃片５は常にぬれた状態で床面１０に接触を繰り返し、床面にこびりついたゴミや汚れを水分により浮かび上がらせ除去するものとなる。
【００３８】
本実施の形態では、清掃片５は床面１０にこびりついたゴミや汚れを付着除去した後、水分吸収手段７により清掃片５に付いた汚れは水分とともに吸収されるため、清掃片５は次の水分供給時には常に清浄な状態を保ち、汚れを床面に広げることなく清掃できるものとなる。
【００３９】
次に、実施の形態１と同様、床面掃除具を用いた電気掃除機の清掃実験を行った。
【００４０】
結果、本実施の形態の電気掃除機においては、浄化率９７％であった。実施の形態１では９３％であったのに対して、さらに清浄度合いが向上するものであった。
【００４１】
このように、本実施の形態では、水分吸収手段７を有していることにより、汚れを床面に広げることなく清掃できるものとなる。また、水分吸収手段７は、水分を供給した清掃片からの水が脱離して、掃除機本体内に吸引されるのを抑制する効果も合わせ持つものとなる。
【００４２】
なお、本実施の形態では、回転清掃体４の回転方向として図４の矢印方向としたが、図５に示すように、逆方向とする場合には、ケース体２の内部で吸引口３側から見て回転清掃体４の回転中心軸よりも回転方向後部、つまり図５においてはケース体２の後部に水分補給手段６を、ケース体２の内部で吸引口３側から見て回転清掃体４の回転中心軸よりも回転方向前部、つまり図５においてはケース体２の前部に水分吸収手段７を配設すればよいものである。
【００４３】
（実施の形態３）
次に、図４に基づき、本発明の実施の形態３における床面掃除具について説明する。
【００４４】
本実施の形態においては、水分補給手段６として、含水させた乾燥軟質体、ここではスポンジ体に水を含浸させたものを用いた。
【００４５】
そして、実施の形態１と同様、床面掃除具を用いた電気掃除機の清掃実験を行った。
【００４６】
結果、本実施の形態の電気掃除機においては、浄化率９７％であった。実施の形態２と同等の性能であるが、本実施の形態では水分補給手段６として含水させた乾燥軟質体を用いており、より簡易な構成で水拭き掃除ができ、床面にこびりついたゴミや汚れなども清掃できる。
【００４７】
（実施の形態４）
次に、本発明の実施の形態４における床面掃除具について説明する。
【００４８】
本実施の形態において、構成は実施の形態３と同様であるが、水分補給手段６の水分に抗菌剤を含ませたものを用いた。抗菌剤には銀を含んでいるものを使用した。
【００４９】
そして、実施の形態１と同様、床面掃除具を用いた電気掃除機の清掃実験を行った。本実験では模擬床であるＰＰ平板に黄色ブドウ球菌を含む生理食塩水を塗布して清掃した。清掃条件としては同様に、電気掃除機を強モードとし、毎秒１ｍの速さで床面掃除具１を３往復させて清掃した。また、比較対照実験としては抗菌剤を含まない水を水分補給手段６に供給して実験した。
【００５０】
清掃後、床面１０を無菌の清浄脱脂綿でふき取り、脱脂綿を生理食塩水に浸し振動させ菌を分散させた生理食塩水を培地上で培養した。
【００５１】
本実施の形態においては、菌は確認されなかったが、比較対照実験では黄色ブドウ球菌のコロニーが確認された。
【００５２】
このように、本実施の形態では、水分補給手段の水分に抗菌剤を含ませることにより、掃除をするとともに床面を抗菌できるものとなる。また抗菌剤には少なくとも銀が含まれていることにより、抗菌作用の優れたものとすることができる。
【００５３】
なお、上記した床面掃除具は、電気掃除機と組み合わせることなく単独使用することでモップ代わりなどとして床面の水拭き掃除ができるものである。一方、電気掃除機と組み合わせることにより、ゴミを空気とともに吸引することに加え、効果的な水拭き掃除ができるものである。
【産業上の利用可能性】
【００５４】
以上のように、本発明にかかる床面掃除具とそれを用いた電気掃除機は、簡易な構成で水拭き掃除が可能で、床面にこびりついたゴミや汚れなども清掃できるものとなるので、モップや家庭用、業務用掃除機などとして利用できる。
【図面の簡単な説明】
【００５５】
【図１】本発明の実施の形態１における床面掃除具の構成図
【図２】（ａ）同床面掃除具において回転清掃体の清掃片が水分補給手段に接触していないときの状態を示す説明図（ｂ）同清掃片が水分補給手段に接触している状態のときの説明図
【図３】同床面掃除具における別の例を示す構成図
【図４】本発明の実施の形態２における床面掃除具の構成図
【図５】同床面掃除具における別の例を示す構成図
【符号の説明】
【００５６】
１  床面掃除具
２  ケース体
３  吸引口
４  回転清掃体
５  清掃片（ブラシ体）
６  水分補給手段
７  水分吸収手段
【図１】
2008188313.tif 000003
【図２】
2008188313.tif 000004
【図３】
2008188313.tif 000005
【図４】
2008188313.tif 000006
【図５】
2008188313.tif 000007